(57)【特許請求の範囲】
【請求項１】
マルチ・アンテナ無線通信システムにおける、データのハイブリット自動再送要求（ＨＡＲＱ）再送のためにユーザ装置（ＵＥ）が実行する方法であって、
前記方法は、
２つのデータ・ストリームで伝送されたデータに関する肯定応答／否定応答（ＡＣＫ／ＮＡＣＫ）フィードバック情報を受信するステップ（Ｓ３０）であって、前記２つのデータ・ストリームは、プライマリ・ストリームとセカンダリ・ストリームであり、前記ＡＣＫ／ＮＡＣＫフィードバック情報は、前記プライマリ・ストリームのデータに関するＡＣＫ／ＮＡＣＫと、前記セカンダリ・ストリームのデータに関するＡＣＫ／ＮＡＣＫと、を含む、ステップと、
受信した前記ＡＣＫ／ＮＡＣＫフィードバック情報をＨＡＲＱプロセスに関連付けるステップ（Ｓ４０）と、
データが前記プライマリ・ストリーム及び前記セカンダリ・ストリームで伝送されるランク２伝送モードから、データが前記プライマリ・ストリームで伝送され、１つのストリームのみが伝送に利用可能なランク１伝送モードへのランク低減に応じて、前記セカンダリ・ストリームからのＮＡＣＫに関連するデータを前記プライマリ・ストリームで再送するステップ（Ｓ５０）と、
を含み、
前記関連付けるステップ（Ｓ４０）は、単一フィードバックの場合に、
各ＨＡＲＱプロセスそれぞれの伝送試行回数を比較するステップ（Ｓ４１）と、
伝送試行回数の最も大きな前記ＨＡＲＱプロセスを、再送が要求された前記ＨＡＲＱプロセスと判定するステップ（Ｓ４２）と、
を含むことを特徴とする方法。
【請求項２】
マルチ・アンテナ無線通信システムにおける、データのハイブリット自動再送要求（ＨＡＲＱ）再送のためにユーザ装置（ＵＥ）が実行する方法であって、
前記方法は、
２つのデータ・ストリームで伝送されたデータに関する肯定応答／否定応答（ＡＣＫ／ＮＡＣＫ）フィードバック情報を受信するステップ（Ｓ３０）であって、前記２つのデータ・ストリームは、プライマリ・ストリームとセカンダリ・ストリームであり、前記ＡＣＫ／ＮＡＣＫフィードバック情報は、前記プライマリ・ストリームのデータに関するＡＣＫ／ＮＡＣＫと、前記セカンダリ・ストリームのデータに関するＡＣＫ／ＮＡＣＫと、を含む、ステップと、
受信した前記ＡＣＫ／ＮＡＣＫフィードバック情報をＨＡＲＱプロセスに関連付けるステップ（Ｓ４０）と、
データが前記プライマリ・ストリーム及び前記セカンダリ・ストリームで伝送されるランク２伝送モードから、データが前記プライマリ・ストリームで伝送され、１つのストリームのみが伝送に利用可能なランク１伝送モードへのランク低減に応じて、前記セカンダリ・ストリームからのＮＡＣＫに関連するデータを前記プライマリ・ストリームで再送するステップ（Ｓ５０）と、
を含み、
前記関連付けるステップ（Ｓ４０）は、
各ＨＡＲＱプロセスそれぞれのバッファのサイズを比較し、バッファのサイズの最も大きな前記ＨＡＲＱプロセスを、再送が要求された前記ＨＡＲＱプロセスと推定するステップ（Ｓ４３）を含むことを特徴とする方法。
【請求項３】
前記関連付けるステップ（Ｓ４０）は、前記ＡＣＫ／ＮＡＣＫフィードバック情報を受信したときに、対象とすべきＨＡＲＱプロセスを決定するステップを含むことを特徴とする請求項１又は２に記載の方法。
【請求項４】
前記関連付けるステップ（Ｓ４０）は、再送要求を示すＡＣＫ／ＮＡＣＫフィードバック情報を、前記セカンダリ・ストリームの前記ＨＡＲＱプロセスに関連付けるステップを含み、その結果、前記ＵＥは、前記セカンダリ・ストリームの代わりに、前記プライマリ・ストリームで要求されたデータを再送することを特徴とする請求項３に記載の方法。
【請求項５】
マルチ・アンテナ無線通信システムにおける、データのハイブリット自動再送要求（ＨＡＲＱ）伝送のためにユーザ装置（ＵＥ）が実行する方法であって、
前記方法は、
２つのデータ・ストリームで転送ブロック（ＴＢ）を伝送するステップ（Ｓ１０）であって、プライマリ・ストリームで第１転送ブロックのデータを伝送し、セカンダリ・ストリームで第２転送ブロックのデータを伝送することを含む、ステップと、
データが前記プライマリ・ストリーム及び前記セカンダリ・ストリームで伝送されるランク２伝送モードから、データが前記プライマリ・ストリームで伝送され、１つのストリームのみが伝送に利用可能なランク１伝送モードに伝送のランクを低減するステップ（Ｓ２０）と、
肯定応答／否定応答（ＡＣＫ／ＮＡＣＫ）フィードバック情報を受信するステップ（Ｓ３０）であって、前記第１転送ブロックのＡＣＫと、前記第２転送ブロックの再送要求を示すＮＡＣＫを受信することを含む、ステップと、
前記ＡＣＫ／ＮＡＣＫフィードバック情報をＨＡＲＱプロセスに関連付けるステップ（Ｓ４０）であって、前記再送要求を示す前記ＮＡＣＫを前記セカンダリ・ストリームの前記ＨＡＲＱプロセスに関連付けることを含む、ステップと、
前記要求された第２転送ブロックを前記セカンダリ・ストリームの代わりに前記プライマリ・ストリームで再送するステップ（Ｓ５０）と、
を含み、
前記関連付けるステップ（Ｓ４０）は、単一フィードバックの場合に、
各ＨＡＲＱプロセスそれぞれの伝送試行回数を比較するステップ（Ｓ４１）と、
伝送試行回数の最も大きな前記ＨＡＲＱプロセスを、再送が要求された前記ＨＡＲＱプロセスと判定するステップ（Ｓ４２）と、
を含むことを特徴とする方法。
【請求項６】
マルチ・アンテナ無線通信システムにおける、データのハイブリット自動再送要求（ＨＡＲＱ）伝送のためにユーザ装置（ＵＥ）が実行する方法であって、
前記方法は、
２つのデータ・ストリームで転送ブロック（ＴＢ）を伝送するステップ（Ｓ１０）であって、プライマリ・ストリームで第１転送ブロックのデータを伝送し、セカンダリ・ストリームで第２転送ブロックのデータを伝送することを含む、ステップと、
データが前記プライマリ・ストリーム及び前記セカンダリ・ストリームで伝送されるランク２伝送モードから、データが前記プライマリ・ストリームで伝送され、１つのストリームのみが伝送に利用可能なランク１伝送モードに伝送のランクを低減するステップ（Ｓ２０）と、
肯定応答／否定応答（ＡＣＫ／ＮＡＣＫ）フィードバック情報を受信するステップ（Ｓ３０）であって、前記第１転送ブロックのＡＣＫと、前記第２転送ブロックの再送要求を示すＮＡＣＫを受信することを含む、ステップと、
前記ＡＣＫ／ＮＡＣＫフィードバック情報をＨＡＲＱプロセスに関連付けるステップ（Ｓ４０）であって、前記再送要求を示す前記ＮＡＣＫを前記セカンダリ・ストリームの前記ＨＡＲＱプロセスに関連付けることを含む、ステップと、
前記要求された第２転送ブロックを前記セカンダリ・ストリームの代わりに前記プライマリ・ストリームで再送するステップ（Ｓ５０）と、
を含み、
前記関連付けるステップ（Ｓ４０）は、
各ＨＡＲＱプロセスそれぞれのバッファのサイズを比較し、バッファのサイズの最も大きな前記ＨＡＲＱプロセスを、再送が要求された前記ＨＡＲＱプロセスと推定するステップ（Ｓ４３）を含むことを特徴とする方法。
【請求項７】
前記関連付けるステップ（Ｓ４０）は、
前記セカンダリ・ストリームの伝送の再送を、前記プライマリ・ストリームで実行するかの表示を提供する、前記ＨＡＲＱプロセスに導入されたパラメータを監視するステップ（Ｓ４４）を含み、
前記パラメータの状態に基づき、前記ＡＣＫ／ＮＡＣＫフィードバック情報を前記ＨＡＲＱプロセスに関連付けることを特徴とする請求項１、２、５又は６に記載の方法。
【請求項８】
前記パラメータの初期値は、前記セカンダリ・ストリームで初めに伝送されたＴＢが前記プライマリ・ストリームで伝送されないことを示す０又は偽であり、前記セカンダリ・ストリームで初めに伝送されたＴＢが前記プライマリ・ストリームで再送されるのであれば、前記パラメータの値は１又は真に設定されることを特徴とする請求項７に記載の方法。
【請求項９】
前記関連付けるステップ（Ｓ４０）は、前記ＡＣＫ／ＮＡＣＫフィードバック情報に関連付けられた前記ＨＡＲＱプロセスを対象とするために、前記ＡＣＫ／ＮＡＣＫフィードバック情報を搬送するチャネルのシグネチャについての情報の使用と組み合わされることを特徴とする請求項１から８のいずれか１項に記載の方法。
【請求項１０】
前記ＵＥは、上りリンク多入力多出力（ＭＩＭＯ）のために構成されることを特徴とする請求項１から９のいずれか１項に記載の方法。
【請求項１１】
前記マルチ・アンテナ無線通信システムは、周波数分割複信（ＦＤＤ）で、多入力多出力（ＭＩＭＯ）が可能な高速上りリンク・パケット・アクセス（ＨＳＵＰＡ）をサポートするシステムであり、
１つ又は２つの独立して符号化された転送ブロックが好ましいランクに応じて伝送され、ランク１の場合には１つの転送ブロックが、ランク２の場合には２つの転送ブロックが伝送されるシステムであることを特徴とする請求項１から１０のいずれか１項に記載の方法。
【請求項１２】
前記２つのストリームは、エンハンスド専用チャネル（Ｅ−ＤＣＨ）で搬送され、前記ＡＣＫ／ＮＡＣＫフィードバック情報は、Ｅ−ＤＣＨハイブリッドＡＲＱ表示チャネル（Ｅ−ＨＩＣＨ）で搬送されることを特徴とする請求項１から１１のいずれか１項に記載の方法。
【請求項１３】
データのＨＡＲＱ伝送のために構成されたユーザ装置（ＵＥ）の装置であって、
２つのデータ・ストリームで転送ブロック（ＴＢ）を伝送する伝送部（１０）であって、前記伝送することは、第１転送ブロックのデータをプライマリ・ストリームで、第２転送ブロックのデータをセカンダリ・ストリームで伝送することを含む、伝送部（１０）と、
データが前記プライマリ・ストリーム及び前記セカンダリ・ストリームで伝送されるランク２伝送モードから、データが前記プライマリ・ストリームで伝送され、１つのストリームのみが伝送に利用可能なランク１伝送モードに伝送のランクを低減する様に構成されたランク制御器（２０）と、
伝送された前記転送ブロックに関連する肯定応答／否定応答（ＡＣＫ／ＮＡＣＫ）フィードバック情報を受信する様に構成されたＡＣＫ／ＮＡＣＫフィードバック情報受信機（３０）であって、前記ＡＣＫ／ＮＡＣＫフィードバック情報を受信することは、前記第１転送ブロックのＡＣＫと、前記第２転送ブロックの再送要求を示すＮＡＣＫと、を受信することを含む、ＡＣＫ／ＮＡＣＫフィードバック情報受信機（３０）と、
ＡＣＫ／ＮＡＣＫフィードバック情報をＨＡＲＱプロセスに関連付ける様に構成された関連付け部（４０）であって、前記ＡＣＫ／ＮＡＣＫフィードバック情報をＨＡＲＱプロセスに関連付けることは、前記再送要求を示す前記ＮＡＣＫを前記セカンダリ・ストリームの前記ＨＡＲＱプロセスに関連付けることを含む、関連付け部（４０）と、
前記要求された第２転送ブロックを前記セカンダリ・ストリームの代わりに前記プライマリ・ストリームで再送する様に構成された再送部（５０）と、
を備えており、
前記関連付け部（４０）は、各ＨＡＲＱプロセスそれぞれの伝送試行回数を比較し、伝送試行回数の最も大きな前記ＨＡＲＱプロセスを、再送が要求された前記ＨＡＲＱプロセスと判定する様に構成されていることを特徴とする装置。
【請求項１４】
データのＨＡＲＱ伝送のために構成されたユーザ装置（ＵＥ）の装置であって、
２つのデータ・ストリームで転送ブロック（ＴＢ）を伝送する伝送部（１０）であって、前記伝送することは、第１転送ブロックのデータをプライマリ・ストリームで、第２転送ブロックのデータをセカンダリ・ストリームで伝送することを含む、伝送部（１０）と、
データが前記プライマリ・ストリーム及び前記セカンダリ・ストリームで伝送されるランク２伝送モードから、データが前記プライマリ・ストリームで伝送され、１つのストリームのみが伝送に利用可能なランク１伝送モードに伝送のランクを低減する様に構成されたランク制御器（２０）と、
伝送された前記転送ブロックに関連する肯定応答／否定応答（ＡＣＫ／ＮＡＣＫ）フィードバック情報を受信する様に構成されたＡＣＫ／ＮＡＣＫフィードバック情報受信機（３０）であって、前記ＡＣＫ／ＮＡＣＫフィードバック情報を受信することは、前記第１転送ブロックのＡＣＫと、前記第２転送ブロックの再送要求を示すＮＡＣＫと、を受信することを含む、ＡＣＫ／ＮＡＣＫフィードバック情報受信機（３０）と、
ＡＣＫ／ＮＡＣＫフィードバック情報をＨＡＲＱプロセスに関連付ける様に構成された関連付け部（４０）であって、前記ＡＣＫ／ＮＡＣＫフィードバック情報をＨＡＲＱプロセスに関連付けることは、前記再送要求を示す前記ＮＡＣＫを前記セカンダリ・ストリームの前記ＨＡＲＱプロセスに関連付けることを含む、関連付け部（４０）と、
前記要求された第２転送ブロックを前記セカンダリ・ストリームの代わりに前記プライマリ・ストリームで再送する様に構成された再送部（５０）と、
を備えており、
前記関連付け部（４０）は、各ＨＡＲＱプロセスそれぞれのバッファ・サイズを比較し、バッファのサイズの最も大きな前記ＨＡＲＱプロセスを、再送が要求された前記ＨＡＲＱプロセスと推定する様に構成されていることを特徴とする装置。
【請求項１５】
前記関連付け部（４０）は、
前記ＨＡＲＱプロセスにパラメータを導入して監視し、前記パラメータは、前記セカンダリ・ストリームの伝送の再送を、前記プライマリ・ストリームで実行するかの表示を提供し、前記パラメータの状態に基づき、前記ＡＣＫ／ＮＡＣＫフィードバック情報を前記ＨＡＲＱプロセスに関連付ける様に構成されていることを特徴とする請求項１３又は１４に記載の装置。
【請求項１６】
前記関連付け部（４０）は、
前記パラメータの初期値を、前記セカンダリ・ストリームで初めに伝送されたデータを前記プライマリ・ストリームで伝送しないことを示す０又は偽に設定し、前記セカンダリ・ストリームで初めに伝送されたデータを前記プライマリ・ストリームで再送されるのであれば、前記パラメータの値を１又は真に設定する様に構成されていることを特徴とする請求項１５に記載の装置。
【請求項１７】
前記関連付け部（４０）は、
前記ＡＣＫ／ＮＡＣＫフィードバック情報に関連付けられた前記ＨＡＲＱプロセスを対象とするために、前記ＡＣＫ／ＮＡＣＫフィードバック情報を搬送するチャネルのシグネチャについての情報を使用する様に構成されていることを特徴とする請求項１３から１６のいずれか１項に記載の装置。
【請求項１８】
前記ＵＥは、上りリンク多入力多出力（ＭＩＭＯ）のために構成されることを特徴とする請求項１３から１７のいずれか１項に記載の装置。
【請求項１９】
前記ＵＥは、周波数分割複信（ＦＤＤ）、高速上りリンク・パケット・アクセス（ＨＳＵＰＡ）、及び、多入力多出力（ＭＩＭＯ）のために構成され、
１つ又は２つの独立して符号化された転送ブロックが好ましいランクに応じて伝送され、ランク１の場合には１つの転送ブロックが、ランク２の場合には２つの転送ブロックが伝送されることを特徴とする請求項１３から１８のいずれか１項に記載の装置。
【請求項２０】
前記２つのストリームは、エンハンスド専用チャネル（Ｅ−ＤＣＨ）で搬送され、前記フィードバック情報は、Ｅ−ＤＣＨハイブリッドＡＲＱ表示チャネル（Ｅ−ＨＩＣＨ）で搬送されることを特徴とする請求項１３から１９のいずれか１項に記載の装置。
【請求項２１】
マルチ・アンテナ無線通信システムにおける、データのハイブリット自動再送要求（ＨＡＲＱ）再送のためのユーザ装置（ＵＥ）であって、
２つのデータ・ストリームで伝送されたデータに関する肯定応答／否定応答（ＡＣＫ／ＮＡＣＫ）フィードバック情報を受信する様に構成されたＡＣＫ／ＮＡＣＫフィードバック情報部（３０）であって、前記２つのデータ・ストリームは、プライマリ・ストリームとセカンダリ・ストリームであり、前記ＡＣＫ／ＮＡＣＫフィードバック情報は、前記プライマリ・ストリームのデータに関するＡＣＫ／ＮＡＣＫと、前記セカンダリ・ストリームのデータに関するＡＣＫ／ＮＡＣＫと、を含む、ＡＣＫ／ＮＡＣＫフィードバック情報部（３０）と、
受信した前記ＡＣＫ／ＮＡＣＫフィードバック情報をＨＡＲＱプロセスに関連付ける関連付け部と、
データが前記プライマリ・ストリーム及び前記セカンダリ・ストリームで伝送されるランク２伝送モードから、データが前記プライマリ・ストリームで伝送され、１つのストリームのみが伝送に利用可能なランク低減に応じて、前記セカンダリ・ストリームからのＮＡＣＫに関連するデータを前記プライマリ・ストリームで再送する様に構成された再送部（５０）と、
を備えており、
前記関連付け部は、各ＨＡＲＱプロセスそれぞれの伝送試行回数を比較し、伝送試行回数の最も大きな前記ＨＡＲＱプロセスを、再送が要求された前記ＨＡＲＱプロセスと判定する様に構成されていることを特徴とするユーザ装置。
【請求項２２】
マルチ・アンテナ無線通信システムにおける、データのハイブリット自動再送要求（ＨＡＲＱ）再送のためのユーザ装置（ＵＥ）であって、
２つのデータ・ストリームで伝送されたデータに関する肯定応答／否定応答（ＡＣＫ／ＮＡＣＫ）フィードバック情報を受信する様に構成されたＡＣＫ／ＮＡＣＫフィードバック情報部（３０）であって、前記２つのデータ・ストリームは、プライマリ・ストリームとセカンダリ・ストリームであり、前記ＡＣＫ／ＮＡＣＫフィードバック情報は、前記プライマリ・ストリームのデータに関するＡＣＫ／ＮＡＣＫと、前記セカンダリ・ストリームのデータに関するＡＣＫ／ＮＡＣＫと、を含む、ＡＣＫ／ＮＡＣＫフィードバック情報部（３０）と、
受信した前記ＡＣＫ／ＮＡＣＫフィードバック情報をＨＡＲＱプロセスに関連付ける関連付け部と、
データが前記プライマリ・ストリーム及び前記セカンダリ・ストリームで伝送されるランク２伝送モードから、データが前記プライマリ・ストリームで伝送され、１つのストリームのみが伝送に利用可能なランク低減に応じて、前記セカンダリ・ストリームからのＮＡＣＫに関連するデータを前記プライマリ・ストリームで再送する様に構成された再送部（５０）と、
を備えており、
前記関連付け部は、各ＨＡＲＱプロセスそれぞれのバッファのサイズを比較し、バッファのサイズの最も大きな前記ＨＡＲＱプロセスを、再送が要求された前記ＨＡＲＱプロセスと推定する様に構成されていることを特徴とするユーザ装置。
【請求項２３】
前記ユーザ装置は、前記ＡＣＫ／ＮＡＣＫフィードバック情報を受信したときに、対象とすべきＨＡＲＱプロセスを決定する様に構成されていることを特徴とする請求項２１又は２２に記載のユーザ装置。
【請求項２４】
前記ユーザ装置は、再送要求を示すＡＣＫ／ＮＡＣＫフィードバック情報を、前記セカンダリ・ストリームの前記ＨＡＲＱプロセスに関連付け、前記セカンダリ・ストリームの代わりに、前記プライマリ・ストリームで前記要求されたデータを再送する様に構成されていることを特徴とする請求項２３に記載のユーザ装置。
【請求項２５】
前記ユーザ装置は、上りリンク多入力多出力（ＭＩＭＯ）のために構成され、前記データは転送ブロック（ＴＢ）であることを特徴とする請求項２１から２４のいずれか１項に記載のユーザ装置。
【請求項２６】
前記ユーザ装置は、周波数分割複信（ＦＤＤ）で、多入力多出力（ＭＩＭＯ）が可能な高速上りリンク・パケット・アクセス（ＨＳＵＰＡ）のために構成され、
１つ又は２つの独立して符号化された転送ブロックが好ましいランクに応じて伝送され、ランク１の場合には１つの転送ブロックが、ランク２の場合には２つの転送ブロックが伝送されることを特徴とする請求項２１から２５のいずれか１項に記載のユーザ装置。
【請求項２７】
前記プライマリ・ストリーム及び前記セカンダリ・ストリームは、エンハンスド専用チャネル（Ｅ−ＤＣＨ）で搬送され、前記ＡＣＫ／ＮＡＣＫフィードバック情報は、Ｅ−ＤＣＨハイブリッドＡＲＱ表示チャネル（Ｅ−ＨＩＣＨ）で搬送されることを特徴とする請求項２１から２６のいずれか１項に記載のユーザ装置。
【発明の詳細な説明】
【技術分野】
【０００１】
本発明は、概して無線通信システムに関し、特に、マルチ・アンテナ無線通信システムにおける再送に関する。
【背景技術】
【０００２】
現在の無線通信システムにおける無線アクセス技術の１つは、図１に示す様に、広帯域符号分割多元接続（ＷＣＤＭＡ（登録商標））と呼ばれる階層である。ＷＣＤＭＡにおいて、端末又はユーザ装置（ＵＥ）は、１つ又は複数のノードＢと通信する。ノードＢは、誤り訂正符号化、変調、拡散といった物理レイヤの処理と、ベースバンド信号からアンテナより送信される無線周波数信号への変換に責任を負う。ノードＢは、１つ以上のセルにおいて送信及び受信を処理する。さらに、無線ネットワーク制御器（ＲＮＣ）は複数のノードＢを制御し、当該ノードＢが責任を負うセルの呼設定、サービス品質処理、及び、無線リソース管理を行う。さらに、誤りが生じたデータ又は紛失したデータの再送を処理する、所謂、自動再送要求（ＡＲＱ）プロトコルは、ＲＮＣにおいて行われる。
【０００３】
欧州特許出願公開第１８４３５０２明細書は、送信機が、受信機から送信アンテナの品質情報と共に、ＡＣＫ／ＮＡＣＫフィードバック情報を取得する、再送手順を開示している。この品質情報に基づき、送信機は、受信したＮＡＣＫに関するデータの再送に、品質の良いアンテナを選択している。
【０００４】
ＷＣＤＭＡでの処理は、異なるレイヤに構造化され、プロトコル・スタックの上位は、無線リンク制御（ＲＬＣ）レイヤであり、その下のレイヤは媒体アクセス（ＭＡＣ）レイヤ及び物理レイヤである。ＭＡＣレイヤは、所謂、論理チャネルの形式でＲＬＣレイヤにサービス提供を行う。ＭＡＣレイヤは、複数の論理チャネルからのデータを多重できる。ＭＡＣレイヤは、また、次のレイヤ、つまり、物理レイヤに送られるデータの転送フォーマットを決定する。ＭＡＣレイヤと物理レイヤとのインタフェースは、転送ブロック（ＴＢ）の形式でデータが転送される、所謂、転送チャネルで特定される。各伝送時間間隔（ＴＴＩ）において、１つ以上の転送ブロックがＭＡＣレイヤから物理レイヤに供給され、物理レイヤは、データの伝送前に、符号化、インタリービング、多重化、拡散等を行う。異なるプロトコル・レイヤは、認証制御、ハンドオーバ決定、及び、ソフト・ハンドオーバのためのアクティブ・セットの管理を行う無線リソース制御器（ＲＲＣ）により構成される。
【０００５】
高速下りリンク・パケット・アクセス（ＨＳＤＰＡ）の導入により、ＷＣＤＭＡの下りリンクのパケット・データのパフォーマンス及び最大データ・レートのより高速な能力が高くなり、遅延が抑えられ、高次変調、レート制御、チャネル依存スケジューリング、及び、所謂、ソフト合成（Ｓｏｆｔ  Ｃｏｍｂｉｎｉｎｇ）を伴うハイブリッドＡＲＱ（ＨＡＲＱ）の導入により容量が増加された。ＨＡＲＱは、端末又はユーザ装置が誤りの生じた転送ブロックの再送を要求し、効果的な符号レートを細かくチューニングし、リンク・アダプテーション機構による誤りを補償することを可能にする。上りリンクに対する同様の開発は、所謂、エンハンスド上りリンク、又は、高速上りリンク・パケット・アクセス（ＨＳＵＰＡ）として実装され、ＷＣＤＭＡの上りリンクの能力及びパフォーマンスを、高速データ・レート、削減された遅延、改良されたシステム容量の点で改良している。ＨＳＤＰＡ及びＨＳＵＰＡの組み合わせは、纏めて、高速パケット・アクセス（ＨＳＰＡ）として参照される。
【０００６】
上りリンクで受信された各転送ブロックのために、ＨＳＵＰＡのＨＡＲＱにおいては、所謂、Ｅ−ＤＣＨハイブリットＡＲＱ表示チャネル（Ｅ−ＨＩＣＨ）において単一ビットが、ノードＢからＵＥに伝送され、ＵＥに復号が成功したか（ＡＣＫ）、誤りが生じた受信転送ブロックの再送を要求（ＮＡＣＫ）するかが伝えられる。Ｅ−ＨＩＣＨは、下り専用物理チャネルであり、ノードＢでのＥ−ＤＣＨ検出の結果を、ＵＥに通理するための二値ＨＡＲＱ応答確認を搬送する。ノードＢは、対応するＥ−ＤＣＨ転送ブロックの復号が成功したか、再送を要求するかに応じて、ＡＣＫ又はＮＡＣＫを送信する。不必要に下りリンクの伝送パワーを消費しない様に、ノードＢが伝送の試みを検出しないと、つまり、Ｅ−ＤＣＨ専用物理制御チャネル（Ｅ−ＤＰＣＣＨ）や、Ｅ−ＤＣＨ専用物理データ制御チャネル（Ｅ−ＤＰＤＣＨ）上のエネルギーを検出しないと、Ｅ−ＨＩＣＨ上では何も伝送されない。Ｅ−ＤＰＤＣＨは、Ｅ−ＤＣＨ転送チャネルを搬送するために使用され、Ｅ−ＤＰＣＣＨは、Ｅ−ＤＣＨに関する制御情報を搬送するために使用される。
【０００７】
近年、ＨＳＵＰＡは、多重ストリーム伝送により最高データ・レートを増加させるため、多入力多出力（ＭＩＭＯ）にさらに拡張されている。用語ＭＩＭＯは、通常、所定のチャネルで可能なデータ・レートを増加させる手段として、複数レイヤ又は複数ストリームの伝送を示すものとして使用される。周波数分割複信（ＦＤＤ）でのＨＳＵＰＡの場合、ＭＩＭＯを追加的に使用することで、直交ビーム、例えば、仮想アンテナで、２つまでの媒体アクセス制御プロトコル・データ・ユニット（ＭＡＣ  ＰＤＵ）（つまり、ＭＡＣｉ）（転送ブロック）を同じＴＴＩ同時に送信する可能性が、ＵＥに導入される。
【発明の概要】
【発明が解決しようとする課題】
【０００８】
これは、ＨＡＲＱ方式を使用する際に新たな問題をもたらす。結果、ＦＤＤにおけるＭＩＭＯ  ＨＳＵＰＡの改良された再送を可能にする方法及び構成が必要となる。
【０００９】
提案技術の１つの目的は、ＦＤＤにおけるＨＳＵＰＡでの改良された再送である。より具体的には、マルチ・アンテナ無線通信システムのランク低減（ｒａｎｋ  ｒｅｄｕｃｔｉｏｎ）の場合において、時間効率を高め、かつ、ＨＡＲＱ伝送及び再送を強固にすることを目的とする。
【課題を解決するための手段】
【００１０】
基本的な側面によると、本開示は、２つのストリーム上で転送ブロックを伝送する方法を提示し、当該方法は、伝送のランクを低減させるステップと、受信したＡＣＫ／ＮＡＣＫフィードバック情報を正しいＨＡＲＱエンティティ又はプロセスと関連付けるステップと、前記関連に基づき総ての要求されたＴＢを再送するステップと、を含んでいる。ランクの低減は、ＵＥが十分な電力を有さない場合、選択されたＴＢサイズが現在のランクで許可された最小ＴＢサイズより小さい場合、或いは、ＵＥが高次のランクからより低次のランクに変化するこが強制される他の幾つかの状態の場合に、より低次のランクへの強制的なフォールバックにより生じる。
【００１１】
別の側面によると、本開示は、マルチ・アンテナ無線通信システムにおける、データのハイブリッド自動再送要求（ＨＡＲＱ）再送でのデータ再送のためにユーザ装置（ＵＥ）で実行される方法を提示する。当該方法は、２つのストリーム上で伝送されるデータに関する肯定応答／否定応答（ＡＣＫ／ＮＡＣＫ）フィードバック情報を受信するステップと、伝送のために１つのストリームのみが利用可能であるランク低減を実行するステップと、キャンセルされたストリームのデータの再送を、残りのストリームで実行するステップと、を含んでいる。
【００１２】
さらなる側面によると、本開示は、２つのストリーム上で転送ブロックを伝送する伝送部と、要求された場合に伝送のランクを低減させる様に構成されたランク制御器と、伝送された転送ブロックに関するＡＣＫ／ＮＡＣＫフィードバック情報を受信する様に構成されたＡＣＫ／ＮＡＣＫフィードバック情報受信機と、受信したＡＣＫ／ＮＡＣＫフィードバック情報を正しいＨＡＲＱエンティティ又はプロセスに関連付ける関連付け部と、前記関連に基づき総ての要求されたＴＢを再送する様に構成された再送部と、を備えているユーザ装置における装置を提示する。
【００１３】
さらに別の側面によると、本開示は、マルチ・アンテナ無線通信システムにおける、データのハイブリッド自動再送要求（ＨＡＲＱ）再送のためのユーザ装置（ＵＥ）を提示する。ＵＥは、２つのストリーム上で伝送されたデータに関する肯定応答／否定応答（ＡＣＫ／ＮＡＣＫ）フィードバック情報を受信するＡＣＫ／ＮＡＣＫフィードバック情報部と、伝送のために１つのストリームのみが利用可能であるランク低減により、キャンセルさられたストリームのデータを、残りのストリームで再送を行う様に構成された再送部と、を備えている。
【００１４】
本開示の利点は、正確なＡＣＫ／ＮＡＣＫフィードバック情報の処理（つまり、正しいＨＡＲＱプロセスに関連付けられたフィードバック）を含み、これにより、データ伝送誤り（ＲＬＣ再送）を少なくし、結果としてパファーマンスを高める。
【００１５】
本開示と、目的及び利点は、添付の図面と共に行う以下の記述を参照することでより良く理解される。
【図面の簡単な説明】
【００１６】
【図１】無線通信システムの構成図。
【図２】ＵＥ側のＭＡＣ構成を示す図。
【図３】ＵＥ側のＭＡＣｉを示す図。
【図４】本開示による結合ＨＡＲＱプロセスの実施形態を示す図。
【図５】本開示の一実施形態による信号チャートを示す図。
【図６】本開示の方法の一実施形態のフローチャート。
【図７】本開示の装置の一実施形態によるブロック図。
【図８】本技術のコンピュータによる実装を示す図。
【図９】本開示による再送方法の一実施形態の例を示すフロー図。
【図１０】本開示による再送方法の一実施形態の例を示すフロー図。
【図１１】本開示による伝送方法の一実施形態の例を示すフロー図。
【図１２】本開示による伝送方法の一実施形態の例を示すフロー図。
【図１３】特定の実施形態による関連付けるステップの例を示すフロー図。
【図１４】特定の実施形態による関連付けるステップの例を示すフロー図。
【図１５】特定の実施形態による関連付けるステップを実行する実施形態の他の例を示す図。
【図１６】本開示による伝送を実行する様に構成されたＵＥの構成例を示すブロック図。
【図１７】本開示によるＨＡＲＱ再送のために構成されたＵＥの例を示すブロック図。
【図１８】本開示によるＨＡＲＱ再送のために構成された他のＵＥの例を示すブロック図。
【図１９】本開示の実施形態のための例示的な信号チャート。
【図２０】本開示の実施形態のための他の例示的な信号チャート。
【図２１】本開示による信号シーケンス例を示すテーブル。
【発明を実施するための形態】
【００１７】
略語
ＡＣＫ  肯定応答
ＡＲＱ  自動再送要求
ＣＣ  チェイス合成
ＤＬ  下りリンク
Ｅ−ＤＣＨ  エンハンスド専用チャネル
Ｅ−ＤＰＣＣＨ  Ｅ−ＤＣＨ専用物理制御チャネル
Ｅ−ＨＩＣＨ  Ｅ−ＤＣＨハイブリッドＡＲＱ表示チャネル
Ｅ−ＴＦＣ  Ｅ−ＤＣＨ転送フォーマット・コンビネーション
ＨＡＲＱ  ハイブリッドＡＲＱ
ＨＡＲＱ＿ＲＴＴ  ＨＡＲＱ往復遅延時間
ＨＳＤＰＡ  高速下りリンク・パケット・アクセス
ＨＳＵＰＡ  高速上りリンク・パケット・アクセス
ＩＲ  インクリメンタル・リダンダンシィ
ＭＡＣ  媒体アクセス制御
ＭＩＭＯ  多入力多出力
ＮＡＣＫ  否定応答
ＰＤＵ  プロトコル・データ・ユニット
ＱＡＭ  直交振幅変調
ＲＲＣ  無線リソース制御
ＲＳＮ  再送シーケンス番号
ＲＴＴ  往復遅延時間
ＳＡＰ  サービス・アクセス・ポイント
Ｓ−Ｅ−ＤＰＣＣＨ  セカンダリＥ−ＤＰＣＣＨ
ＴＢ  転送ブロック
ＴＴＩ  伝送時間間隔
【００１８】
提案技術は、無線通信システムの分野、特にＷＣＤＭＡにおけるＨＳＵＰＡに関する。ＦＤＤで、ＭＩＭＯが利用可能なＨＳＵＰＡでの再送をサポートするための方法及び構成の実施形態を開示する。現在のＨＳＵＰＡ実装に関する問題点についての深い知識を提供するために、現在の標準及びその問題点についての詳細を以下に記す。
【００１９】
現在、ワーク・アイテム"ＨＳＵＰＡのための６４ＱＡＭでのＭＩＭＯ"が、３ＧＰＰ標準化［２］で議論されている。この作業の目的は、周波数分割複信（ＦＤＤ）におけるＨＳＵＰＡの付加的な特徴として、６４ＱＡＭ（６４値直交振幅変調）を用いた上りリンク２×２ＭＩＭＯのサポートを特定することである。上りリンク（ＵＬ）ＭＩＭＯは、ＵＥが、直交ビーム（仮想アンテナ）上で、同じＴＴＩに、２つのＭＡＣｉ  ＰＤＵ（転送ブロック）までを同時に伝送することを可能にする。
【００２０】
図２に、本技術におけるＵＥ側のＭＡＣのトラフィックに関連する構成を示す［３］。ＵＥのＭＡＣ機能は、複数のエンティティに分割され、各エンティティは、特定の状況を処理する。現開示に最も関連するＭＡＣ機能は、Ｅ−ＤＣＨ転送チャネルへのアクセスを制御する、所謂、ＭＡＣ−ｅ又はＭＡＣ−ｉである。上位レイヤは、２つのエンティティＭＡＣ−ｅ、ＭＡＣ−ｉのいずれかを、Ｅ−ＤＣＨ機能を処理する様に構成する。論理チャネルの転送チャネルへのマッピングは、ＲＲＣにより構成される多重化に依存し、ＭＡＣ制御ＳＡＰは、各ＭＡＣエンティティへの制御情報の転送に使用される。図に示す関連するシグナリングは、プリミティブにより提供されるレイヤ１（Ｌ１）とレイヤ２（Ｌ２）間での情報の交換を示している。
【００２１】
上りリンクＨＳＰＡハイブリッドＡＲＱ機能は、同期、非アダプティブ動作上で成り立つ。よって、上りリンクの再送は、決定論的なパターンに従い、最初の伝送後の所定の期間後に生じる。これは、ＵＥ及びノードＢは、特定のＴＴＩでの対象となるＨＡＲＱプロセスを知っていることを意味する。非アダプティブ動作は、転送フォーマット及び再送のそれぞれで使用される冗長バージョンが、元の伝送のときから既知であることを暗示する。再送ビット（冗長バージョンを介して制御される）は、ＣＣ（チェイス合成）又はＩＲ（インクリメンタル・リダンダンシィ）ソフト合成が使用されるかに応じて、以前の伝送と同じビット、又は、情報ビットの同じセットに基づく新たなビットのセットのいずれかを有する。さらに、受信機に対して、ソフト・バッファをクリアすべきか、つまり、伝送が最初の伝送であるか、以前の伝送とのソフト合成を行うべきかを指示する必要がある。特に、"新データ表示"ビットは、新たな伝送を指示するのに十分である。しかし、ＵＬでのソフト・ハンドオーバにより、より強固な構成が必要であり、ＲＳＮ（再提出番号）により提供される。
【００２２】
仕様［３］によると、各ＵＥは、Ｅ−ＤＣＨ当たり、複数のＨＡＲＱプロセスからなる１つのＨＡＲＱエンティティを有する。ＨＡＲＱプロセスの数は、好ましくは、往復遅延時間に適合させるべきであり、２ｍｓＴＴＩでは８に、１０ｍｓＴＴＩでは４に設定される。ＨＡＲＱエンティティは、図３に示す様に、ＨＡＲＱプロトコルに関連するＭＡＣ機能の処理に責任を負い、例えば、Ｅ−ＴＦＣ、再送シーケンス番号（ＲＳＮ）、及び、ＨＡＲＱパワー・オフセットの様な、ＭＡＣに関連する情報をレイヤ１に提供する。各ＨＡＲＱプロセスは、ＭＡＣ−ｉ／ｅ  ＰＤＵを保存するために使用される、関連するＨＡＲＱバッファを有する。さらに、各ＨＡＲＱプロセスは、ＲＳＮと再送回数を追跡する。ハイブリットＡＲＱプロトコルの詳細な構成は、ＭＡＣ制御ＳＡＰを介してＲＲＣにより提供される。
【００２３】
ＵＬ  ＨＡＲＱ情報（つまり、ＲＳＮ番号）は、Ｅ−ＤＰＣＣＨ上で搬送され、ＤＬ  ＨＡＲＱ情報（つまり、ＡＣＫ／ＮＡＣＫ）は、Ｅ−ＤＣＨアクティブ・セットの各セルから、Ｅ−ＨＩＣＨ上で伝送される。ＲＳＮは、ノードＢに、現在の上りリンクＨＡＲＱ伝送番号について通知するために使用される。フィールド・サイズ（２ビット）の制限により、たとえ、損失したパケットの数をカウントする前に、３より大きい数の再送が使用できるとしても、ＲＳＮは３に制限され、ＲＬＣ再送に依存する。ＲＳＮと伝送タイミングの組み合わせは、受信機が、正確な伝送番号（［４］参照）を決定することを可能にする。ＡＣＫ／ＮＡＣＫフィードバック情報は、対応するＵＬ伝送で復号が成功したか失敗したかをＵＥに通知する。この情報は、同じＭＡＣ−ｅ又はＭＡＣ−ｉ  ＰＤＵで別の伝送を行うか、新たな伝送を行うかを、ＵＥが知ることを可能にする。ＡＣＫ／ＮＡＣＫフィールドの長さは、１ビットである。
【００２４】
以前に述べた様に、６４ＱＡＭを使用するＨＳＵＰＡ  ＭＩＭＯを導入するために、有効なＨＡＲＱ及び再送手順を標準化することが必要である。解決すべき１つの点は、特に、転送ブロックが、異なる伝送時間に、異なるストリームで伝送された場合、ＡＣＫ／ＮＡＣＫフィードバック情報を正しいＨＡＲＱプロセスに関連付けることをどの様に確実にするかである。
【００２５】
結果、本発明者は、例えば、以下に詳細な例を記述する幾つかの所定の基準に基づき、入力されるＡＣＫ／ＮＡＣＫフィードバック情報を正しいＨＡＲＱプロセスに関連付ける様に構成された、ＵＥ又はＵＥのＨＡＲＱエンティティの解決法を提案する。
【００２６】
以前に述べた様に、ＦＤＤのＨＳＵＰＡ  ＭＩＭＯにおいて、１つ又は２つの独立した符号化転送ブロック（ＴＢ）が、好ましいランク、ランク１の場合は１つの転送ブロック、ランク２の場合は２つの転送ブロック、に応じて伝送される。プライマリＴＢ（Ｅ−ＤＰＤＣＨ）は、プライマリ・ストリームで伝送され、セカンダリＴＢ（Ｓ−Ｅ−ＤＰＤＣＨ）は、セカンダリ・ストリーム（ランク２の場合）で伝送される。プライマリ・ストリーム制御チャネルＥ−ＤＰＣＣＨは、Ｅ−ＤＰＤＣＨに関連するＲＳＮを搬送し、同様に、Ｓ−Ｅ−ＤＰＣＣＨは、Ｓ−Ｅ−ＤＰＣＣＨに関連するＲＳＮを搬送する。下りリンクに関連するＨＡＲＱ情報（ＡＣＫ又はＮＡＣＫ）は、Ｅ−ＨＩＣＨで伝送される。２つの独立したＥ−ＨＩＣＨチャネルは、ランク２伝送の確認応答のために使用される。プライマリＥ−ＨＩＣＨは、プライマリ・ストリーム・データ（Ｅ−ＤＰＤＣＨ）に関連するＡＣＫ／ＮＡＣＫを搬送し、セカンダリＥ−ＨＩＣＨは、セカンダリ・ストリーム・データ（Ｓ−Ｅ−ＤＰＤＣＨ）に関連するＡＣＫ／ＮＡＣＫを搬送する。
【００２７】
以前に述べた６４ＱＡＭを使用するＨＳＵＰＡ  ＭＩＭＯを導入するために、ＨＡＲＱ及び再送手順を更新する必要がある。各ＴＴＩでは２つまでの転送ブロックを伝送できるので、本発明者は、ＨＡＲＱプロセスの効果的な数を２倍にし、ＨＡＲＱプロセスをペア（各ストリームに１つ）に結合する必要があることを特定した。典型的には、Ｅ−ＤＣＨ当たり、１つのＨＡＲＱエンティティが存在するが、本開示によると、本発明者は、例えば、ランク１の単一ストリーム伝送では、ＴＴＩ当たり、１つのＨＡＲＱプロセスを使用し、例えば、ランク２の２つのストリーム伝送では、ＴＴＩ当たり、２つの結合ＨＡＲＱプロセスを使用することを提案する。ＨＡＲＱプロセスを結合させる正確な処理は、決定していないが、その例を図４に示す。この開示を通じて、ＨＡＲＱプロセスＡ及びＢとの表記は、２つの結合されたプロセスを区別するために使用される。しかしながら、上述した様に、それらを識別／特定する他の手段を考えることができ、本開示は、選択した形態に限定されるのではなく、選択した形態は単に説明のためである。既に述べた様に、取り組むべき点は、特に、転送ブロックが異なる伝送の瞬間に、異なるストリームで伝送された場合に、ＡＣＫ／ＮＡＣＫフィードバック情報を正確なＨＡＲＱプロセスに関連づけることをどの様に確実にするかである。その様な１つの例示的な場合は、ＵＥがそのランクを、例えば、ランク２からランク１に強制的に低減させられた後に、セカンダリ・ストリームで元々伝送されたＴＢの再送を要求することである。この場合、要求されたＴＢが元々伝送されたストリームは、もはや利用可能ではなく、この様に、ＴＢ、例えば、再送が要求されたＨＡＲＱプロセスがＵＥにとって未決定となる。
【００２８】
１つの可能な解決法は、明示的なＨＡＲＱプロセス識別子（例えば、ここではＡ及びＢ）を導入することである。しかしながら、これは、シグナリング・オーバヘッドを増加させ、ＨＡＲＱ関連情報を搬送するＵＬ／ＤＬ制御チャネルの再設計が必要となる。結果、付加的なフィードバック情報又は制御チャネルの再設計を必要としない他の解決法が提示される。
【００２９】
この開示において、本発明者は、ＵＥ側のＭＡＣ−ｉエンティティ機能の修正を提案し、ＡＣＫ／ＮＡＣＫフィードバック情報が正しいＨＡＲＱプロセスに関連付けられることを確実にする。特に、この構成は、明示的なＨＡＲＱ識別子番号を導入することなく、ストリームを切り替えて再送することを可能にし、よって、制御チャネル構造を変更する必要もない。さらに、本発明者は、シグナリング又は検出誤りの場合に、フィードバックＡＣＫ／ＮＡＣＫ処理をより強固にするために、Ｅ−ＨＩＣＨシグネチャについて既知の情報を使用することを提案する。
【００３０】
この開示は、ＡＣＫ／ＮＡＣＫフィードバック情報を正しいＨＡＲＱプロセスに関連付けることを確実にする構成を開示する。特に、ＨＡＲＱ識別子番号を導入することなく、ストリームを切り替えて再送することを可能にし（例えば、元のストリーム・データの再送（セカンダリ・ストリームをプライマリ・ストリームで））、よって、制御チャネル構造を変更する必要もない。
【００３１】
３ＧＰＰ  ＲＡＮ  ＷＧ１は、６４ＱＡＭを使用するＵＬ  ＭＩＭＯ［２］の再送シナリオを議論している。ネットワーク（サービング・ノードＢ）によってシグナリングされる好ましいランクに応じて、異なるＵＥ伝送シナリオが本発明者により予見される。
【００３２】
１）シグナリングされた好ましいランクが２（ランク２）
ａ．ＨＡＲＱプロセスＡに関連するＴＢが、常に、プライマリ・ストリームにマッピングされ、ＨＡＲＱプロセスＢに関連するＴＢが、常に、セカンダリ・ストリームにマッピングされる。結果、ランクが２から変更されない限り、再送は、常に、元のストリームで送信される。
【００３３】
２）好ましいランクが１（ネットワークによりシグナリングされるか、ランク２からランク１への強制的なＵＥフォールバックによる）
ａ．両方の転送ブロック（プライマリ・ストリームにマッピングされたＨＡＲＱプロセスＡに関連付けられたＴＢ及びセカンダリ・ストリームにマッピングされたＨＡＲＱプロセスＢに関連付けられたＴＢ）の再送が必要である場合、ＵＥは、ネットワークの好ましいランク１を覆して代わりにランク２を使用し、上記１）により、両方のパケットを再送しなければならない。
ｂ．プライマリ・ストリームにマッピングされたＨＡＲＱプロセスＡに関連付けられたＴＢのみの再送が必要である場合、このＴＢは、プライマリ・ストリームで再送される。
ｃ．セカンダリ・ストリームにマッピングされたＨＡＲＱプロセスＢに関連付けられたＴＢ（元はセカンダリ・ストリームで伝送）のみの再送が必要である場合、このＴＢは、プライマリ・ストリームで再送される。このケースを、ストリーム切り替えとして参照する。言い換えると、最初にセカンダリ・ストリームで伝送されたＨＡＲＱプロセスＢに関連付けられたＴＢは、ランク１を使用し、プライマリ・ストリームで再送される。
【００３４】
この様に、ランク低減の場合において、時間効率が高く、強固なＨＡＲＱ再送を提供するために、マルチ・アンテナ無線通信システムにおけるデータのハイブリット自動再送要求（ＨＡＲＱ）再送のために、ユーザ装置（ＵＥ）によって実行される方法が提供される。本方法は、２つのストリームで伝送されたデータに関する肯定応答／否定応答（ＡＣＫ／ＮＡＣＫ）フィードバック情報を受信するステップ（Ｓ３０）と、伝送のために１つのストリームのみが利用可能なランク低減により、キャンセルされたストリームのデータを、残りのストリームで再送するステップ（Ｓ５０）と、を含む。この方法は図９に示される。その様な方法において、ＵＥは、ランクの増加を待つ必要がなく、多かれ少なかれ、上りリンクの再送は連続して実行され得る。
【００３５】
上記ＨＡＲＱ再送法の実施形態は、データがプライマリ・ストリーム及びセカンダリ・ストリームで伝送されるランク２伝送モードから、データがプライマリ・ストリームで伝送されるランク１伝送モードへのランク低減に関連する。ここで、再送するステップは、セカンダリ・ストリームからのＮＡＣＫに関連するデータを、プライマリ・ストリームで再送するステップを含む。この様に、強制的なランク低減が生じても、本方法は、データの連続的な再送を可能にする。
【００３６】
図１０は、ＨＡＲＱ再送方法の他の実施形態を示している。ここでは、本方法は、受信したＡＣＫ／ＮＡＣＫフィードバック情報を正しいＨＡＲＱプロセスに関連付けるステップ（Ｓ４０）と、当該関連に基づき総ての要求されたデータを再送するステップと、を含む。この様に、ＵＥは、正しいデータが再送されることを確実にするために、受信したフィードバック情報を利用する。これは、信頼性が高く、かつ、強固な再送方法を提供し、要求されたデータのみが再送される。さらに、既存の制御チャネル構成を変更する必要はない。
【００３７】
一例として、関連付けるステップ（Ｓ４０）は、ＡＣＫ／ＮＡＣＫフィードバック情報を受信したときに、どのＨＡＲＱプロセスを対象とするかを決定するステップを含む。
【００３８】
実施形態の特定の例として、関連付けるステップ（Ｓ４０）は、再送要求を示すＡＣＫ／ＮＡＣＫフィードバック情報を、キャンセルされたセカンダリ・ストリームのＨＡＲＱプロセスに関連付けるステップを含み、その結果、ＵＥは、要求されたデータをセカンダリ・ストリームではなく、プライマリ・ストリームで再送する。
【００３９】
上述したＵＥでの再送方法は、上りリンクで多入力多出力（ＭＩＭＯ）のために構成されたＵＥにおいて特に使用され、再送されるデータは、転送ブロック（ＴＢ）である。
【００４０】
周波数分割複信（ＦＤＤ）で、多入力多出力（ＭＩＭＯ）が可能な高速上りリンク・パケット・アクセス（ＨＳＵＰＡ）をサポートするマルチ・アンテナ無線通信システムにおいて上述した再送方法をＵＥで使用することは可能であり利点がある。
【００４１】
上記実施形態の可能な例として、プライマリ・ストリーム及びセカンダリ・ストリームは、エンハンスド専用チャネル（Ｅ−ＤＣＨ）上で搬送され、ＡＣＫ／ＮＡＣＫフィードバック情報は、Ｅ−ＤＣＨハイブリッドＡＲＱ表示チャネル（Ｅ−ＨＩＣＨ）上で搬送される。
【００４２】
ＵＥにおける上記再送方法の実施形態は、ランク低減後においても連続して再送することを可能にするので、本方法は、マルチ・アンテナ無線通信システムにおいてリソースの効率的な使用を提供する。
【００４３】
上述したハイブリッド自動再送要求（ＨＡＲＱ）再送を実行する様に構成されたユーザ装置（ＵＥ）を図１７に示す。ＵＥは、２つのストリームで伝送されたデータに関する肯定応答／否定応答（ＡＣＫ／ＮＡＣＫ）フィードバック情報を受信する様に構成されたＡＣＫ／ＮＡＣＫフィードバック情報部３０を備えている。さらに、ＵＥは、伝送のために１つのストリームのみが利用可能なランク低減が生じると、キャンセルされたストリームのデータを、残りのストリームで再送する様に構成された再送部５０を備えている。
【００４４】
一例として、ＵＥは、データがプライマリ・ストリーム及びセカンダリ・ストリームで伝送されるランク２伝送モードから、データがプライマリ・ストリームで伝送されるランク１伝送モードにランクを低減する様に構成される。ＵＥは、さらに、セカンダリ・ストリームからのＮＡＣＫに関連するデータを、再送部５０により、プライマリ・ストリームで再送する様に構成される。
【００４５】
好ましい例において、ＵＥは、受信したＡＣＫ／ＮＡＣＫフィードバック情報を、関連付け部４０により、正しいＨＡＲＱプロセスに関連付け、当該関連に基づき総ての要求されたデータを再送する様に構成される。ＵＥの実施形態例を図１８に示す。
【００４６】
好ましくは、ＵＥは、ＡＣＫ／ＮＡＣＫ情報を受信した際に、どのＨＡＲＱプロセスを対象とすべきかを決定する様に構成される。
【００４７】
一例として、ユーザ装置は、好ましくは、再送要求を示すＡＣＫ／ＮＡＣＫフィードバック情報を、キャンセルされたセカンダリ・ストリームのＨＡＲＱプロセスに関連付け、セカンダリ・ストリームではなく、プライマリ・ストリームで要求されたデータを再送する様に構成される。
【００４８】
ＵＥは、好ましくは、データが転送ブロック（ＴＢ）の場合、上りリンク多入力多出力（ＭＩＭＯ）用に構成される。
【００４９】
好ましい実施形態において、ＵＥは、周波数分割複信（ＦＤＤ）で多入力多出力（ＭＩＭＯ）が可能な高速上りリンク・パケット・アクセス（ＨＳＵＰＡ）のために構成される。
【００５０】
ＵＥの可能な実施形態において、プライマリ・ストリーム及びセカンダリ・ストリームは、エンハンスド専用チャネル（Ｅ−ＤＣＨ）で搬送され、ＡＣＫ／ＮＡＣＫフィードバック情報は、Ｅ−ＤＣＨハイブリッドＡＲＱ表示チャネル（Ｅ−ＨＩＣＨ）で搬送される。
【００５１】
同様に、ＡＣＫ／ＮＡＣＫフィードバック処理の異なりシナリオが存在する。典型的に、総ての場合において、プライマリＥ−ＨＩＣＨ上のＡＣＫ／ＮＡＣＫフィードバック情報は、ＨＡＲＱプロセスＡに対応し、セカンダリＥ−ＨＩＣＨ上のＡＣＫ／ＮＡＣＫフィードバック情報は、ＨＡＲＱプロセスＢに対応する。しかし、１つのＥ−ＨＩＣＨが伝送され（そして検出され）、ＨＡＲＱプロセスＢがフィードバック情報を期待する場合（つまり、伝送でのストリーム切り替えが生じた場合）、他の問題が生じる。結果、ＵＥのＨＡＲＱエンティティは、受信したＡＣＫ／ＮＡＣＫを、適切なＨＡＲＱプロセス、つまり、ＨＡＲＱプロセスＢに関連付ける必要がある。
【００５２】
よって、ＴＢが異なる伝送の瞬間において、異なるストリームで伝送された場合に正しく処理を行うために（ストリーム切り替えのシナリオ）、本発明者は、"ストリーム切替"機能を、ＨＡＲＱエンティティ、例えば、Ｅ−ＤＣＨのためのＭＡＣ−ｉに導入する必要があることを認識した。本質的に、ＨＡＲＱエンティティは、どのストリームで各ＨＡＲＱプロセスが伝送されたかを知る／記憶する様に構成される必要がある。つまり、フィードバック情報（ＡＣＫ／ＮＡＣＫ）が受信された場合、ＨＡＲＱエンティティは、２つの結合されたＨＡＲＱプロセス（Ａ、Ｂ）のどちらを対象とすべきかを知らなければならない。
【００５３】
結合ＨＡＲＱエンティティ又はプロセスの導入、或いは、少なくとも２つの並行ストリーム（ランク２）でＴＢを伝送することを実装する場合、１つの新たな問題が生じる。ＵＥがランク２伝送モード、つまり、ＴＢがプライマリ・ストリーム及びセカンダリ・ストリームの両方で伝送され、ノードＢでは、プライマリ・ストリームの受信及び復号が成功してＡＣＫを送信するが、セカンダリ・ストリームは受信又は復号できず、ノードＢがＵＥにＮＡＣＫを伝送した場合を考える。さらに、ＴＢの伝送とＡＣＫ／ＮＡＣＫの受信との間の期間、又は、ＡＣＫ／ＮＡＣＫ受信後の期間において、ＵＥがランク２からランク１伝送モードに変化したとする。言い換えると、１つのストリームのみ、つまり、プライマリ・ストリームのみが伝送に利用可能となったものとする。ＮＡＣＫの受信の応答として、プライマリ・ストリームでＮＡＣＫされたＴＢの再送を実行できる利点があることを本発明者は認識した。よって、本発明者は、ランク２からランク１伝送への変化により、キャンセルされたストリームに対する総ての再送を、残りのストリーム、上記場合ではプライマリ・ストリームで実行する、切替処理を実装することを提案する。
【００５４】
図６は、本技術による方法の基本的な実施形態を示している。結果、本開示によるユーザ装置（ＵＥ）での方法の基本的な実施形態は、プライマリ・ストリームで第１転送ブロックのデータをノードＢに伝送し、セカンダリ・ストリームで第２転送ブロックのデータをノードＢに伝送するステップ（Ｓ１０）を含む。伝送とは、初期の伝送、又は、以前に伝送したデータの再送である。第１転送ブロックのデータ及び第２転送ブロックのデータの伝送後のある時点で、ＵＥのランクは、ランク２からランク１に変化される（Ｓ２０）。結果、ＵＥは、ノードＢからＡＣＫ／ＮＡＣＫフィードバック情報を受信する（Ｓ３０）。例えば、ＵＥは、第１転送ブロックのＡＣＫと、第２転送ブロックの再送要求、例えば、ＮＡＣＫを受信する。結果、リソース、例えば、第２転送ブロックが元々伝送されたストリームは、もはや存在しない。続いて、ＡＣＫ／ＮＡＣＫフィードバック情報、例えば、再送要求を、キャンセルされたセカンダリ・ストリームのＨＡＲＱプロセス又はエンティティに関連付けるスッテプ（Ｓ４０）が実行される。よって、ＵＥは、再送が要求されたＨＡＲＱプロセスを認識し、ストリーム切り替えを実行し（Ｓ５０）、キャンセルされたセカンダリ・ストリームの代わりに、プライマリ・ストリームで要求された転送ブロックを再送する。
【００５５】
上述した様に、２つの結合されたデータ・ストリームでＴＢを送信する際の問題は、再送が連続的であり、例えば、プライマリ・ストリームのために０〜７で、セカンダリ・ストリームのために０〜７といった、巡回的かつ連続的な方法による番号付けが行われることで生じる。結果、ＵＥが再送要求と適切なＨＡＲＱプロセスを正しく関連付ける（Ｓ４０）構成が必要であり、ランク低減により、再送が元の伝送とはことなるデータ・ストリームで生じる場合には特に必要である。
【００５６】
上述した問題を解決するため、マルチ・アンテナ無線通信システムにおけるデータのハイブリッド自動再送要求（ＨＡＲＱ）送信ために、ユーザ装置（ＵＥ）で実行される方法が提供される。当該方法は、２つのストリームで転送ブロック（ＴＢ）を伝送するステップ（Ｓ１０）と、送信のランクを低減させるステップ（Ｓ２０）と、肯定応答／否定応答（ＡＣＫ／ＮＡＣＫ）フィードバック情報を受信するステップ（Ｓ３０）と、ＡＣＫ／ＮＡＣＫフィードバック情報を正しいＨＡＲＱプロセスに関連付けるステップ（Ｓ４０）と、当該関連に基づき総ての要求されたＴＢを再送するステップ（Ｓ５０）と、を含んでいる。本方法は、図１１に示される。
【００５７】
図１２は、送信方法の一実施形態を示し、伝送のランクを低減させるステップ（Ｓ２０）は、伝送がプライマリ・ストリーム及びセカンダリ・ストリームで実行されるランク２からランク１にランクを低減するステップを含み、これにより、セカンダリ・ストリームはキャンセルされる。送信データに関するフィードバック情報は、受信するステップ（Ｓ３０）で受信される。このフィードバック情報は、ＡＣＫ／ＮＡＣＫ情報を含む。再送要求を示すＡＣＫ／ＮＡＣＫフィードバック情報は、関連付けるステップ（Ｓ４０）において、キャンセルされたセカンダリ・ストリームのＨＡＲＱプロセスと関連付けられ、よって、どのＨＡＲＱプロセスが再送を要求されたかを決定することができる。
【００５８】
提案する方法は、信頼性及び強固さを高めたＨＡＲＱ伝送を可能にし、ランクの低減は、ＨＡＲＱ再送処理を中断させない。代わりに、提案するストリーム切り替えにより、キャンセルされなかったストリームを、ＨＡＲＱ再送を実行するために利用する方法を提供する。ＡＣＫ／ＮＡＣＫフィードバック情報が、関連付けるステップ（Ｓ４０）において、関連するＨＡＲＱプロセスと正しく関連付けられることを確実にするために、本方法が利用される。関連付けるステップの例示的な実施形態の幾つかを、以下に述べる。
【００５９】
一実施形態によると、関連付けるステップ（Ｓ４０）は、ＨＡＲＱエンティティ又はＨＡＲＱプロセスに新たなパラメータ（例えば、変数又はフラグ）を導入し監視することに基づく。パラメータは、ストリーム切り替え、例えば、セカンダリ・ストリームでの伝送の再送を、プライマリ・ストリームで実行するかの表示を提供する。新たなパラメータの状態に基づき、総てのＡＣＫ／ＮＡＣＫフィードバック情報は、正しいＨＡＲＱプロセス又はエンティティに関連付けられる。
【００６０】
この特定の関連付けるステップを図１５に示す。図１４から推論される様に、前述したデータのＨＡＲＱ伝送は、ＨＡＲＱプロセスに導入されたパラメータを監視するステップ（Ｓ４４）を含む、関連付けるステップ（Ｓ４０）を含む。パラメータは、セカンダリ・ストリームでの伝送の再送をプライマリ・ストリームで実行するかの表示を提供する。当該パラメータの状態に基づき、ＡＣＫ／ＮＡＣＫフィードバック情報が正しいＨＡＲＱプロセスに関連付けられる。
【００６１】
特に、このパラメータを、例えば、ＨＡＲＱ＿ＳＷＩＴＣＨ＿ＳＴＲＥＡＭＳと呼び、このパラメータは、（前述した）ストリーム切り替えが伝送のときに生じたかを追跡するために使用される。このパラメータの初期値は、例えば、０又は偽であり、伝送のときにストリーム切り替えが生じていないこと、つまり、ＨＡＲＱプロセスＡがプライマリ・ストリームに関連付けられ、ＨＡＲＱプロセスＢがセカンダリ・ストリームに関連付けられることを示している。ストリーム切り替えが生じると、このプロセスのパラメータは、切り替えられる（例えば、１又は真に設定される）。このハイブリッドＡＲＱ機能は、ＨＡＲＱエンティティ内に存在し、各ＨＡＲＱプロセス・ペアに１つのＨＡＲＱ＿ＳＷＩＴＣＨ＿ＳＴＲＥＡＭＳパラメータが必要である。つまり、ＨＡＲＱ＿ＲＴＴエレメントを含む１つのベクトルが必要であり、ベクトルの各エレメントは、特定のプロセス番号（ＣＵＲＲＥＮＴ＿ＨＡＲＱ＿ＰＲＯＣＥＳＳ＿ＩＤを参照する）と関連付けられている。フィードバック情報（ＡＣＫ又はＮＡＣＫ）を受信すると、正しいプロセスに関連付けられているＨＡＲＱ＿ＳＷＩＴＣＨ＿ＳＴＲＥＡＭＳパラメータが検査される。ＨＡＲＱ＿ＳＷＩＴＣＨ＿ＳＴＲＥＡＭＳパラメータが真であると、伝送時に生じたストリーム切り替えが検出され、フィードバック情報はＨＡＲＱプロセスＢに関連付けられる。フィードバック情報が処理されると、ＨＡＲＱ＿ＳＷＩＴＣＨ＿ＳＴＲＥＡＭＳパラメータはリセットされる（０又は偽に設定される）。セカンダリ・ストリームのみでの再送で、ＵＭＴＳシステムでＵＥがランク１にフォールバックした場合のストリームの切替手順の例を図５に示す。
【００６２】
第二実施形態によると、ＵＥは、受信したＡＣＫ／ＮＡＣＫフィードバック情報、例えば、再送要求を、各ＨＡＲＱエンティティ又はプロセスのバッファ状態に基づき、適切なＨＡＲＱエンティティ又はプロセスに正しく関連付ける（Ｓ４０）様に構成され得る。これは、ＡＣＫメッセージの受信は、関連するバッファのクリアの原因になることに基づく。よって、ＡＣＫの対象にはならなかったＨＡＲＱエンティティ、或いは、ＮＡＣＫの対象となったＨＡＲＱエンティティは、空ではないＨＡＲＱバッファを有する。ランク低減により、特定のＨＡＲＱエンティティに関連付けられていないＮＡＣＫを受信すると、ＵＥは、複数のＨＡＲＱエンティティ又はプロセスのバッファを比較でき、空でない、或いは、最も量の多いバッファが、受信したＮＡＣＫに関連付けられていると安全に推定でき、関連ＴＢの再送を開始する。
【００６３】
関連付けるステップ（Ｓ４０）のこの実施形態を図１４に示す。マルチ・アンテナ無線通信システムにおけるデータのハイブリッド自動再送要求（ＨＡＲＱ）伝送のために、ユーザ装置（ＵＥ）で実行される方法は、関連付けるステップ（Ｓ４０）を含み、関連付けるステップ（Ｓ４０）は、単一のフィードバックの場合、ＨＡＲＱプロセスのバッファのサイズを比較するステップ（Ｓ４３）と、最も大きなバッファ・サイズに関連するＨＡＲＱプロセスが、再送が要求されたＨＡＲＱプロセスと推測するスッテプ（Ｓ４３）と、を含む。ＨＡＲＱプロセスのバッファ・サイズの情報を利用することにより、どのデータが再送を要求されているかを判定するために、ＵＥが既に有する情報以外の情報を導入することなく、信頼できるＨＡＲＱ伝送方法が得られる。
【００６４】
現標準［３］では、ＲＳＮ及び伝送試行回数（ＣＵＲＲＥＮＴ＿ＴＸ＿ＮＢ）が、伝送のとき（新たな伝送又は再送のとき）に更新／設定され、ＡＣＫフィードバックを受信すると、ＨＡＲＱバッファはクリアされる。よって、フィードバック情報（プライマリＥ−ＨＩＣＨのみから、つまり、１つのＡＣＫ／ＮＡＣＫ）を受信したときに、どのＨＡＲＱバッファが対象であるかを判定する、考えられる他の方法は、プロセスＡ及びＢのバッファ状態を検査し、空でないバッファのプロセスを使用することである。他の方法は、（単一フィードバックのシナリオで）フィードバック情報を受信したときに、２つの結合されたＨＡＲＱプロセス（Ａ及びＢ）の伝送試行回数（ＣＵＲＲＥＮＴ＿ＴＸ＿ＮＢ）を比較することである。フィードバック情報は、最も大きいＣＵＲＲＥＮＴ＿ＴＸ＿ＮＢの値を有するＨＡＲＱプロセスＡ又はＢを対象とされる。同様に、ＲＳＮ数を比較することも考えられ得るが、ＲＳＮ番号は３で飽和するためあまり良くはない。
【００６５】
この特定の実施形態を図１３に示す。単一フィードバックの場合、関連付けるステップ（Ｓ４０）は、ＨＡＲＱプロセスそれぞれの伝送試行回数を比較するステップ（Ｓ４１）と、伝送試行回数の最も大きいＨＡＲＱプロセスが再送を要求されたＨＡＲＱプロセスであると判定するステップ（Ｓ４２）と、を含む。関連付けるステップ（Ｓ４０）の、この特定の実施形態は、ＵＥが既に有する情報以外の情報を要求することなく、受信したＮＡＣＫに関連するＨＡＲＱプロセスの正しい表示を与える。
【００６６】
上述した総て或いは１つの実施形態は、例えば、ＨＡＲＱ機能を、フィードバック・シグナリング誤りに対してより強固にするために、他の情報と結合され得る。その様な情報源の１つは、Ｅ−ＨＩＣＨシグネチャ（つまり、フィードバックがプライマリ又はセカンダリＥ−ＨＩＣＨのどちらで受信されたか）である。これは、伝送又はフィードバック誤りが生じた場合、例えば、２つのＥ−ＨＩＣＨの１つが検出されない場合に、正しいＨＡＲＱプロセスを対象にするために役に立つ。これには、Ｌ１が、受信ＡＣＫ／ＮＡＣＫに関連するＥ−ＨＩＣＨシグネチャをＭＡＣレイヤに通知する必要がある。
【００６７】
伝送方法の上述した実施形態は、当該方法を実行する様に構成されたＵＥが、上りリンク多入力多出力（ＭＩＭＯ）ために構成された場合に特に利用され得る。
【００６８】
ＵＥにより実行される伝送方法を実装するための望ましい別の環境は、マルチ・アンテナ無線通信システムが、周波数分割複信（ＦＤＤ）で、多入力多出力（ＭＩＭＯ）が可能な高速上りリンク・パケット・アクセス（ＨＳＵＰＡ）をサポートするスステムである場合に適切である。
【００６９】
既に述べたＵＥにより実行される伝送方法の実施形態は、２つのストリームがエンハンスド専用チャネル（Ｅ−ＤＣＨ）で搬送され、ＡＣＫ／ＮＡＣＫフィードバック情報がＥ−ＤＣＨハイブリッドＡＲＱ表示チャネル（Ｅ−ＨＩＣＨ）で搬送される場合にも役に立つ。
【００７０】
本技術によるＵＥの一実施形態について図７を参照して説明する。種々の機能部（ユニット）が個別のユニットとして示されているが、それらを結合したユニットとして形成することができる。特に、本技術の機能は、好ましくは、ＵＥのＭＡＣ−ｉユニットに実装される。結果、本開示によるユーザ装置（ＵＥ）１の基本的な実施形態は、ノードＢに、プライマリ・ストリームで第１転送ブロックのデータを伝送し、セカンダリ・ストリームで第２転送ブロックのデータを伝送する様に構成された送信機１０を備えている。伝送は、初期伝送、又は、以前に伝送したデータの再送を含み得る。ランク部２０において、第１転送ブロック及び第２転送ブロックのデータ送信後のある時点において、ＵＥのランクは、ランク２からランク１に変化する。さらに、ＵＥは、送信されたＴＢに関するＡＣＫ／ＮＡＣＫフィードバック情報をノードＢから受信する様に構成されたＡＣＫ／ＮＡＣＫフィードバック情報部３０を備えている。関連付け部４０は、正しいＴＢの再送を可能にするため、受信したＡＣＫ／ＮＡＣＫフィードバック情報、例えば、再送要求を、関連するＨＡＲＱプロセス又はエンティティに関連付ける様に構成されている。よって、ＵＥは、再送が要求されたＨＡＲＱプロセスを認識する。最後に、ＵＥは、当該関連に基づき総ての要求された転送ブロックを再送する様に構成された再送部５０又はストリーム切り替え部を含む。ＵＥを機能させるために必要な総ての既知の機能及びユニットは、明示されていないが明らかに含まれている。
【００７１】
別の状態として、図１６に示す様に、本開示は、データのＨＡＲＱ伝送のために構成されたユーザ装置（ＵＥ）の装置を提示し、当該装置は、２つのストリームで転送ブロック（ＴＢ）を伝送する伝送部１０と、伝送のランクを減少させる様に構成されたランク制御器２０と、伝送された転送ブロックに関する肯定応答／否定応答（ＡＣＫ／ＮＡＣＫ）フィードバックを受信する様に構成されたＡＣＫ／ＮＡＣＫフィードバック情報受信機３０と、を備えている。当該装置は、さらに、受信したＡＣＫ／ＮＡＣＫフィードバック情報を正しいＨＡＲＱプロセスに関連付ける様に構成された関連付け部４０を備えている。当該装置は、さらに、当該関連に基づき総ての要求されたＴＢを再送する様に構成された再送部５０を備えている。
【００７２】
特定の実施形態によると、関連付け部４０は、ストリーム切り替えの発生を示す新たなパラメータ、或いは、ＨＡＲＱバッファの監視に基づき、受信したＡＣＫ／ＮＡＣＫフィードバック情報を関連するＨＡＲＱプロセス又はエンティティに関連付ける様に構成され得る。結果、関連付け部４０又は関連付け部４０と通信するユニットは、ＨＡＲＱエンティティ又はＨＡＲＱプロセスにパラメータ（例えば、変数又はフラグ）を提供する様に構成される。パラメータは、ストリーム切り替え、例えば、セカンダリ・ストリームの伝送の再送をプライマリ・ストリームで実行するか否かの表示を提供する。少なくとも、パラメータの現在の状態に基づき、関連付け部は、総てのＡＣＫ／ＮＡＣＫフィードバック情報を正しいＨＡＲＱプロセス又はエンティティに関連付ける。
【００７３】
さらに、他の実施形態によると、関連付け部４０は、各ＨＡＲＱエンティティ又はプロセスのバッファ状態に基づき、受信したＡＣＫ／ＮＡＣＫフィードバック情報、例えば、再送要求を、適切なＨＡＲＱエンティティ又はプロセスに関連付ける様に構成される。これは、受信ＡＣＫメッセージにより、典型的には、関連するバッファがクリアされるとの知識に基づく。よって、ＡＣＫの対象ではないＨＡＲＱエンティティ、或いは、ＮＡＣＫの対象であるＨＡＲＱエンティティは、空ではないＨＡＲＱバッファを有する。ランク低減による、特定のＨＡＲＱエンティティに関連しないＮＡＣＫの受信により、例えば、関連付け部４０は、複数のＨＡＲＱエンティティ又はプロセスのバッファを比較し、空ではないバッファ、或いは、最も大きなバッファを、受信したＮＡＣＫに関連付ける様に構成され得る。
【００７４】
上述した実施形態に関し、２つの例を以下に示す。以下の例においては、１つのＨＡＲＱプロセス・ペア、例えば、プロセスＡ及びプロセスＢのみを考慮し、他の総てのプロセスについては省略する。しかし、当業者は、本教示内容を複数のＨＡＲＱプロセス・ペアに容易に適合させることができる。
【００７５】
例１（図２１のテーブル１を参照）
時刻０で、プライマリ・ストリームで再送が搬送され、新たな伝送がセカンダリ・ストリームで搬送される。ノードＢはプライマリ・ストリームを復号するが、セカンダリ・ストリームの復号には失敗する。よって、ＵＥがＡＣＫ／ＮＡＣＫフィードバックを受信する時刻１で、プロセスＡに関するＨＡＲＱバッファはクリア（ＡＣＫ）される。時刻２で、ランクは１に変更されるが、プロセスＢは再送が必要である。よって、プロセスＢに関するＴＢは、ストリーム１で再送される。この特定のシーケンスを図１９に示す。ＵＥがＡＣＫ／ＮＡＣＫフィードバックを受信する時刻３で、Ｅ−ＨＩＣＨフィードバックが対象とするＨＡＲＱプロセス（Ａ又はＢ）を決定する必要がある。ＲＳＮ又は伝送回数（ｔｒａｎｓ）を見ても、これらは両プロセスで同一の値であるから、ＨＡＲＱエンティティは、この情報を取り出すことはできないことは明らかである。規定の振る舞いとして、フィードバック情報をプロセスＡに関連付けると、この場合には誤りとなる。よって、正しいＨＡＲＱプロセスＢを対象とするためには、バッファ状態又は伝送で生じたストリーム切り替え（幾つかのパラメータ／フラグ／変数で示される）を考慮する必要ある。
【００７６】
例２（以下のテーブル２を参照）
時刻０で、２つの新たなパケットが、ランク２伝送で搬送される。ノードＢは、プライマリ・ストリームの復号に失敗するが、セカンダリ・ストリームの復号はでき、よって、時刻１において、プライマリＥ−ＨＩＣＨでＮＡＣＫを、セカンダリＥ−ＨＩＣＨでＡＣＫを送信する。不幸にも、ＵＥは、プライマリＥ−ＨＩＣＨを検出できず、セカンダリＥ−ＨＩＣＨのＡＣＫのみを受信する。通常の手順では、Ｌ１は、１つのＡＣＫをＭＡＣレイヤに転送し、プロセスＡに関するソフト・バッファをクリアし、ＲＬＣ再送につながる。代わりに、ＵＥは、ＡＣＫがプロセスＡとＢのどちらに対応するかを考えなければならない。起こり得るＲＬＣ再送を避けるために、ＵＥは、ＡＣＫを無視しなければならず。両方のプロセスがＮＡＣＫであるとみなさなければならない。より良い方法は、Ｌ１が、ＡＣＫ／ＮＡＣＫを搬送したＥ−ＨＩＣＨについてＭＡＣレイヤに通知することである（シグネチャ）。この例において、ＨＡＲＱエンティティは、ＡＣＫがセカンダリＥ−ＨＩＣＨであること、つまり、ＨＡＲＱプロセスＢに関連するソフト・バッファをクリアすべきであることを知る。さらに、プライマリＥ−ＨＩＣＨでＡＣＫ／ＮＡＣＫメッセージを取得することなく、セカンダリＥ−ＨＩＣＨでＡＣＫ／ＮＡＣＫメッセージを取得することはないことを知る。よって、プライマリＥ−ＨＩＣＨには検出ミスがあり、よって、（アクティブ・セットの他のリンクがＡＣＫを搬送していなければ）ＮＡＣＫと考えるべきであることを知る。
【００７７】
【表１】
0006042548.tif 000002
【００７８】
提案技術の理解を深めるために、図２０について説明する。図２０は、上述した伝送シナリを示すが、この例では、より長い時間について示している。この例は、提案する伝送及び再送ステップが繰り返されることを示している。この例を理解することで、どの様に提案方法が、ランクが低減された後であっても、利用可能なストリーム・リソースを効果的に使用して強固なＨＡＲＱ再送を提供しているかが理解される。
【００７９】
最初に、本例においては、Ｓ１０において、ランク２伝送モードで、転送ブロック（ＴＢ）が伝送される。図示する様に、ＴＢ１はプライマリ・ストリームで伝送され、ＴＢ２は、セカンダリ・ストリームで伝送される。
【００８０】
続いて、ＵＥのランクは、Ｓ２０で、ランク２伝送モードからランク１伝送モードに低減され、よって、セカンダリ・ストリームはキャンセルされ、プライマリ・ストリームが後続の伝送を行う。
【００８１】
最初の伝送に続いて、プライマリ・ストリーム及びセカンダリ・ストリームで伝送された転送ブロックに関するＡＣＫ／ＮＡＣＫフィードバック情報が、ステップＳ３０において、下りリンク・チャネルからそれぞれ受信される。ＡＣＫ／ＮＡＣＫフィードバック情報は、関連付けるステップＳ４０において、正しいＨＡＲＱプロセスに関連付けられる。この例において、元々セカンダリ・ストリームで伝送されたＴＢ２は、ＮＡＣＫの対象である。ＡＣＫ／ＮＡＣＫフィードバック情報を正しいＴＢに正しく関連付けるため、例えば、下りリンク・チャネル、つまり、Ｅ−ＨＩＣＨ１及びＥ−ＨＩＣＨ２のシグネチャを使用することができる。しかし、他の方法も可能である。
【００８２】
ＡＣＫ／ＮＡＣＫフィードバック情報の受信に続き、正しく関連付けられた（Ｓ４０）ＴＢ２が、Ｓ５０において、ランク１伝送モードのプライマリ・ストリームで再送される。
【００８３】
その後のある時点において、プライマリ・ストリームで再送されたＴＢ２に関するＡＣＫ／ＮＡＣＫフィードバック情報が、ステップＳ３０で受信される。この単一フィードバック情報は、ランク１伝送モードの間にプライマリ・ストリームで再送されたＴＢに関する情報を搬送している。受信したＡＣＫ／ＮＡＣＫフィードバック情報に基づき、関連付けるステップＳ４０が、ＡＣＫ／ＮＡＣＫフィードバック情報を正しいＨＡＲＱプロセスに関連付けるために、単一フィードバック情報に対して実行される。この特定の例において、ＮＡＣＫが受信され、ＴＢ２の再送が要求される。単一フィードバックのための、本方法のステップＳ４１、Ｓ４２、Ｓ４３及びＳ４４の任意の実施形態は、ＡＣＫ／ＮＡＣＫフィードバック情報を正しいＨＡＲＱプロセスに正しく関連付けるために使用され得る。
【００８４】
ＵＥは、依然、ランク１伝送モードであるので、ＨＡＲＱプロセスに関連付けられたＴＢは、Ｓ５０で、プライマリ・ストリームで再送される。最後に、ノードＢからＡＣＫを受信する。この時点において、最初の伝送が完了し、ＵＥは、ランクの状態に基づき、次の伝送の準備を行う。
【００８５】
この特定のシナリオからわかる様に、再送は、最初に伝送された転送ブロックの総てについてＡＣＫを取得するまで続けられる。その後、新たな伝送が、ＵＥのランクの状態に基づき開始され得る。上述した例では、セカンダリ・ストリームで最初に伝送されたＴＢは、ＮＡＣＫの対象となった。しかし、プライマリ・ストリームで最初に伝送されたＴＢ、つまり、本例ではＴＢ１が、ＮＡＣＫの対象となり得る。この場合、最初の伝送と同様に、再送もプライマリ・ストリームで行われる。よって、既に述べたストリーム切り替えを実行する必要はない。代わりに、再送は、プライマリ・ストリームで行われる。
【００８６】
本開示の実施形態を、単一キャリアの設定で記述したが、マルチ・キャリアの場合にも適用することができる。この考え方は、（ここで考慮した２×２のみならず）より高次のＭＩＭＯシステムをカバーする様に拡張可能である。
【００８７】
以下では、ユーザ装置１での装置の実施形態の例について、図８を用いて説明する。この実施形態は、例えば、マイクロ・プロセッサであるプロセッサ２１０に基づき、プロセッサ２１０は、プライマリ及びセカンダリ・ストリームで転送ブロックを伝送するためのソフトウェア・コンポーネント１１０と、伝送ランクの制御する、例えば、必要に応じてランクを低減するソフトウェア・コンポーネント１２０と、ノードＢからＡＣＫ／ＮＡＣＫフィードバック情報を受信するソフトウェア・コンポーネント１３０と、を実行する。これらのソフトウェア・コンポーネントは、メモリ２２０に格納されている。プロセッサ２１０は、システム・バスを介してメモリ２２０と通信する。信号は、入力／出力（Ｉ／Ｏ）バスを制御する入力／出力（Ｉ／Ｏ）コントローラ２３０により受信され、Ｉ／Ｏバスには、プロセッサ２１０とメモリ２２０が接続される。この実施形態において、Ｉ／Ｏコントローラ２３０によって受信される信号は、メモリ２２０に格納され、ソフトウェア・コンポーネントによって処理される。ソフトウェア・コンポーネント１１０は、送信するステップ（Ｓ１０）の機能を実装され得る。ソフトウェア・コンポーネント１２０は、ランクを制御するステップ（Ｓ２０）の機能を実装され得る。ソフトウェア・コンポーネント１３０は、ＡＣＫ／ＮＡＣＫを受信するステップ（Ｓ３０）の機能を実装され得る。ソフトウェア・コンポーネント１４０は、ＡＣＫ／ＮＡＣＫを関連付けけるステップ（Ｓ４０）の機能を実装され得る。最後に、ソフトウェア・コンポーネント１５０は、再送する又はストリーム切り替えを行うステップ（Ｓ５０）の機能を実装され得る。
【００８８】
Ｉ／Ｏユニット２３０は、Ｉ／Ｏバスを介してプロセッサ２１０及び／又はメモリ２２０と相互に接続され、入力パラメータ及び／又は結果である出力パラメータの様な、関連データの入力及び／又は出力を可能にする。
【００８９】
上述したステップ、機能、手順及び／又は機能ブロックの少なくとも幾つかは、適切な処理装置によって実行されるソフトウェで実装される。適切な処理装置とは、マイクロ・プロセッサ、デジタル信号プロセッサ（ＤＳＰ）及び／又はフィールド・プログラマブル・ゲート・アレイ（ＦＰＧＡ）デバイスの様な、任意の適切なプログラム可能な論理デバイスである。
【００９０】
ネットワーク・ノードの一般的な処理能力を再利用可能であることが理解される。例えば、既存ソフトウェアの再プログラミングや、新たなソフトウェア・コンポーネントの追加により実行され得る。
【００９１】
ソフトウェアは、コンピュータ可読記憶媒体に担持される、コンピュータ・プログラム製品としても実現され得る。ソフトウェアは、コンピュータのプロセッサでの実行のために、コンピュータの動作メモリにロードされ得る。コンピュータ／プロセッサは、上述したステップ、機能、手順及び／又は機能ブロックを実行するためのみに使用される必要はなく、他のソフトウェアのタスクを実行し得る。
【００９２】
本開示の利点は、最初にセカンダリ・ストリームで伝送された、ＨＡＲＱプロセス２に関連するＴＢを、ランク１を使用してプライマリ・ストリームで再送させる場合、ＨＡＲＱプロセスが、常に、正しくＡＣＫ又はＮＡＣＫを処理することを可能にする。これは、データ伝送誤り（ＲＬＣ再送）を低減させ、結果、能力を高める。
【００９３】
例えば、Ｅ−ＨＩＣＨ識別子（ストリーム１又はストリーム２のシグネチャ）といった追加の情報を使用することで、ＨＡＲＱ機能は、フィードバック／検出誤りに対してより強固になる。
【００９４】
正しいソフト・バッファが対象となり、伝送の成功又は不成功におうじて、正しいソフト・バッファをクリア、維持できることを確実にする。
【００９５】
ＭＩＭＯ及び／又はソフト・ハンドオーバの場合に、ソフト合成を確実、或いは、強固に訂正する。
【００９６】
制御チャネルの構成を再設計する必要がない、或いは、シグナリングのオーバヘッドを増加させる明示的なＨＡＲＱ識別子番号を導入する必要がない。
【００９７】
本開示は、ＦＤＤでのＷＣＤＭＡ  ＨＳＵＰＡ  ＭＩＭＯにより記述したが、本開示は、他の同様なシステムに対しても適用可能である。
【００９８】
上述した実施形態は、本発明の幾つかの例により理解される。当業者は、本発明の範囲から逸脱しない、種々の修正、結合、変更を本実施形態に行えることを理解する。特に、異なる実施形態の異なる部分の解決法は、技術的に可能な他の構成と結合され得る。
【００９９】
参考文献
［１］ＲＰ−１１６４２，"ＷＩ：ＭＩＭＯ  ｗｉｔｈ  ６４ＱＡＭ  ｆｏｒ  ＨＳＵＰＡ"，Ｎｏｋｉａ  Ｓｉｅｍｅｎｓ  Ｎｅｗｏｒｋｓ
［２］Ｒ１−１２４０１４，ＬＳ  ｏｎ  ＲＡＮ１  ａｇｒｅｅｍｅｎｔｓ  ｏｎ  ＭＩＭＯ  ｗｉｔｈ  ６４ＱＡＭ  ｆｏｒ  ＨＳＵＰＡ
［３］３ＧＰＰ  ＴＳ２５．３２１，Ｍｅｄｉｕｍ  Ａｃｃｅｓｓ  Ｃｏｎｔｒｏｌ
［４］３ＧＰＰ  ＴＳ２５．２１２，Ｍｕｌｔｉｐｌｅｘｉｎｇ  ａｎｄ  Ｃｈａｎｎｅｌ  Ｃｏｄｉｎｇ（ＦＤＤ）
【図１】
0006042548.tif 000003
【図２】
0006042548.tif 000004
【図３】
0006042548.tif 000005
【図４】
0006042548.tif 000006
【図５】
0006042548.tif 000007
【図６】
0006042548.tif 000008
【図７】
0006042548.tif 000009
【図８】
0006042548.tif 000010
【図９】
0006042548.tif 000011
【図１０】
0006042548.tif 000012
【図１１】
0006042548.tif 000013
【図１２】
0006042548.tif 000014
【図１３】
0006042548.tif 000015
【図１４】
0006042548.tif 000016
【図１５】
0006042548.tif 000017
【図１６】
0006042548.tif 000018
【図１７】
0006042548.tif 000019
【図１８】
0006042548.tif 000020
【図１９】
0006042548.tif 000021
【図２０】
0006042548.tif 000022
【図２１】
0006042548.tif 000023